(57)【要約】  この発明は、ドライバなどの突出部を有する不安定な形状の商品を、通常吊り下げ方式の陳列に用いられる、台紙やブリスターといった包装を使用する事なく、また包装を使用しない為、商品のビジュアルや使用感を正確に伝えることができ、尚かつ廃棄物の出ない商品陳列装置である。【選択図】              図１
2006075566.tif 000002
【特許請求の範囲】
【請求項１】
商品を支持する１又は複数の商品支持部を備えており、
前記商品支持部が、
平均的な接触方向が互いに平行に且つ反対になっている第１及び第２の接触部を有しており、
設置状態における重力方向からみて、前記第１の接触部が前記第２の接触部と前記商品の重心位置との間に位置するように、且つ、前記商品の下面が前記第１の接触部に前記商品の上面が前記第２の接触部と接するように、前記商品支持部が前記商品を支持することを特徴とする商品陳列装置。
【請求項２】
設置状態における重力方向からみて、前記第１及び第２の接触部の少なくともいずれかが前記接触方向に向かって凹となっていることを特徴とする請求項２に記載の商品陳列装置。
【請求項３】
前記商品支持部が、前記第１及び第２の接触部の少なくともいずれかの設置状態における水平方向両側の少なくともいずれかに止め部をさらに備えていることを特徴とする請求項１又は２に記載の商品陳列装置。
【請求項４】
前記商品支持部が、前記商品の少なくとも一部が通過可能であると共に、設置状態における垂直方向に対して傾斜している方向に延在している筒形状を有しており、
前記筒形状の一方端面に前記第１の接触部が形成されていると共に、前記筒形状の他方端面に前記第２の接触部が形成されていることを特徴とする請求項１に記載の商品陳列装置。
【発明の詳細な説明】
【技術分野】
【０００１】  この発明は、ドライバなどの商品を陳列するための商品陳列装置に関する。
【技術分野】
【０００２】  例えば、ドライバなどの突出部を有する不安定な形状の商品は、整然と配列することが難しいため、陳列棚などに直接配置して陳列すると乱雑になる。そこで、商品の端部にを陳列するために、台紙シュリンクに熱収縮チューブを備える技術が知られている（特許文献１参照）。この技術によると、商品の端部に熱収縮チューブを介して台紙シュリンクを固定することができるため、不安定な形状を有する商品であっても陳列用フックに吊り下げることができる。
【特許文献１】  特開平１０−３１６１６４（図１）
【発明の開示】
【発明が解決しようとする課題】
【０００３】  しかしながら、上述した技術によると、商品に台紙シュリンクのような補助部品を取り付けるため、商品の外観を損なうとこになる。また、顧客が商品を手にとったときに、使用感がわかりにくいという問題がある。【０００４】  本発明に主たる目的は、突出部を有する不安定な形状の商品を、商品に補助部品を取り付けることなく陳列することができる商品陳列装置を提案することである。
【発明が解決するための手段】
【０００５】  本発明の商品陳列装置は、商品を支持する１又は複数の商品支持部を備えており、前記商品支持部が、平均的な接触方向が互いに平行に且つ反対になっている第１及び第２の接触部を有しており、設置状態における重力方向からみて、前記第１の接触部が前記第２の接触部と前記商品の重心位置との間に配置されるように、且つ、前記商品の下面が前記第１の接触部に前記商品の上面が前記第２の接触部と接するように、前記商品支持部が前記商品を支持する。
【０００６】  本発明においては、設置状態における重力方向からみて、前記第１及び第２の接触部の少なくともいずれかが前記接触方向に向かって凹となっていることが好ましい。
【０００７】  加えて、本発明においては、前記商品支持部が、前記第１及び第２の接触部の少なくともいずれかの設置状態における水平方向両側の少なくともいずれかに止め部をさらに備えていることが好ましい。
【０００８】  また、本発明においては、前記商品支持部が、前記商品の少なくとも一部が通過可能であると共に、設置状態における垂直方向に対して傾斜している方向に延在している筒形状を有しており、前記筒形状の一方端面に前記第１の接触部が形成されていると共に、前記筒形状の他方端面に前記第２の接触部が形成されていてもよい。
【発明の効果】
【０００９】  本発明によると、第１の接触部を支点とするてこの原理で商品を支持するため、補助部品を取り付けることなく商品を陳列することができる。このため、外観を損なわない商品の陳列が可能になる。また、顧客が商品の使用感を確認しやすい。さらに、商品を第１及び第２の接触部に引っ掛けるという簡単な方法で商品を支持することができる。このため、商品の取り出し及び収納を容易に行うことができる。また、第１の接触部に商品の突出部を接触させることでより商品を安定して支持することができる。
【００１０】  また、第１及び第２の接触部を凹とすることで商品を安定して支持することができる。さらに、止め部を配置することで商品が転がり落ちるのを防止することができる。
【００１１】  加えて、傾斜した筒形状に第１及び第２の接触部を形成することにより、確実に商品を支持することができる。また、商品が傾斜した状態で支持されるため、顧客に対して商品の外観を効率良く見せることができる。
【発明を実施するための最良の形態】
【００１２】［第１の実施の形態］
本発明に係る第１の実施の形態について図面を参照しつつ説明する。図１は、第１の実施の形態の商品陳列装置の使用状態を示す外観斜視図である。図２は、図１に示すＡ−Ａ断面図である。図１に示すように、商品陳列装置１は、６本のドライバ５０を陳列するためのものである。ドライバ５０は、シャフト５１にグリップ（突出部）５２を備えたものである。商品陳列装置１は、フレーム２と、ドライバー５０を支持するための６つの商品支持部３と、フック４とを備えている。【００１３】  フレーム２は、６つの商品支持部３やフック４を支持するものである。また、フレーム２は、円形断面を有する棒状部材にＵ字状に曲げ加工を施して成形されたものであり、一方向に延在している。フレーム２の延在方向の一方端部であるＵ字部（以下、先端部と称する）はさらに下方に向かって折り曲げられている。この折り曲げ部分にはプライスカードやＰＯＰが取り付け可能となっている。フレーム２の他方端部（以下、後端部と称する）にはフック４が取り付けられている。フック４は矩形の板部材を鍵状に折り曲げて形成されているものであり、陳列用のゴンドラバー４０に係合可能となっている。また、フック４は、ゴンドラバー４０に係合したとき、フレーム２の延在方向が水平方向になるように、フレーム２に対して取り付けられている。なお、フック４は陳列用の網に取り付け可能なものでもよいし、ボルトなどの固定用部材であってもよい。【００１４】  次に、商品支持部３の詳細について図３および図４を参照しつつ説明する。図３は、商品支持部３の側面図である。図４は、図３に示す矢印Ｂの方向からみた商品陳列支持部３の断面図である。図１、図３及び図４に示すように、６つの商品支持部３は、フレーム２の長手方向に沿って配列されるようにフレーム２に取り付けられている。また、商品支持部３は、ドライバー５０の受け部（支点）となるホルダー（第１の接触部を含む）３１と、ホルダー３１に受けられたドライバー５０の回転を規制する規制部（第２の接触部）３５とを備えている。ホルダー３１は、円形断面を有する棒状部材にＵ字状に曲げ加工を施して成形されたものであり、設置状態における垂直方向に対して先端部側に向かって傾斜した方向に延在している。また、ホルダー３１は、一方端部であるＵ字の解放端側における棒状部材の２つの端部が、対応するフレーム２の棒状部材にぞれぞれ取り付けられており、他方端部であるＵ字の先端部が先端部側に向かって略９０度折り曲げられている。この折り曲げられたＵ字の端部が、商品陳列装置１の設置状態における垂直方向からみた平面視において後端部側に向かって凹となっている凹部（第１の接触部）３２となっている。凹部３２の上端面は、水平面に対して先端部側に傾斜している。【００１５】  規制部３５は、フレーム２におけるホルダー３１の取り付け位置近傍において、フレーム２の幅方向を横断するように取り付けられているものであり、先端部側に向かって凹となるように形成されている。つまり、規制部３５は、商品陳列装置１の設置状態において、凹部３２の上端面よりも下方側に、且つ、重力方向から見た平面視において凹部３２の底部より後端部側に位置している。このとき、規制部３５の両側にあるフレーム２の部材が転がり止めの止め部として機能する。【００１６】  次に、商品陳列装置１に対する商品（ドライバー５０）の陳列方法について説明する。図１に示すように、フック４をゴンドラバー４０に係合させる。このとき、フレーム２が水平方向に延在するように、商品陳列装置が設置されている。そして、ドライバー５０を商品支持部３に支持させるために、ドライバー５０を、下方向に向けたシャフト５１がホルダー３１の凹部３２内を通過するように配置すると共に、凹部３２の上端面にブリップ５２の端面（突出部の側面）を接触させる。このとき、上側からみて、シャフト５１がホルダー３１と規制部３５との間に位置している。そして、ドライバー５０の重心位置（グリップ５２付近）が、凹部３２の上端面よりも上方に位置している。また、垂直方向から見て、凹部３２がドライバー５０の重心位置と規制部３５との間に位置している。このとき、凹部３２におけるシャフト３２との平均的な接触方向と、規制部３５におけるシャフト３２との平均的な接触方向とが、互いに平行に且つ反対となっている。また、凹部３２にドライバー５０の下面が接触していると共に、規制部３５にドライバー５０の上面が接触している。【００１７】  そして、ドライバー５０が、凹部３２を支点として、グリップ５２が先端部側に向かうようにドライバー５０が回転するように力が働いている。これにより、シャフト３２の端部が規制部３５に押し付けられる。また、重力により凹部３２の上端面にブリップ５２の端面に押し付けられる。これにより、ドライバー５０が商品支持部３に支持される。【００１８】  以上説明した第１の実施の形態によると、補助部品を取り付けることなくドライバー５０を陳列することができる。このため、外観を損なわないドライバー５０の陳列が可能になる。また、顧客がドライバー５０の使用感を確認しやすい。さらに、ドライバー５０を凹部に引っ掛けるという簡単な方法でドライバー５０を支持することができる。これのため、ドライバー５０の取り出し及び収納を容易に行うことができる。また、ドライバー５０が傾斜した状態で支持されるため、顧客に対してドライバー５０の外観を効率良く見せることができる。【００１９】  また、凹部３２と規制部３５とが凹となっているため、ドライバー５０を安定して支持することができる。さらに、フレーム２が止め部として機能しているため、ドライバー５０が転がり落ちるのを防止することができる。【００２０】  本実施の形態の変形例について図５を参照しつつ説明する。図５は、本実施の形態の変形例の断面図である。図５に示すように、フレーム２が水平方向に対して傾斜するように形成されていてもよい。これによると、商品支持部３が垂直方向に沿って散らばるように配置されるため、ドライバー５０をより一層見やすく陳列することができる。【００２１】［第２の実施の形態］
本発明に係る第２の実施の形態の商品陳列装置について図６を参照しつつ説明する。なお、第１の実施の形態の商品陳列装置１と同一の部材については同一の符号を付して説明を省略する。図６は、第２の実施の形態の商品陳列装置１０１の外観図である。商品陳列装置１０１は、６本のドライバ５０を陳列するためのものであり、図６に示すように、フレーム２と、６つの商品支持部１０３と、フック４とを備えている。【００２２】  商品支持部１０３は、ドライバー５０を支持するためのものであり、一方向に延在した筒形状を有している。また、商品支持部１０３は、その延在方向が設置状態における垂直方向に対して先端部側に傾斜するように、且つフレーム２の延在方向に沿って配列するようにフレーム２に取り付けられている。【００２３】  次に、商品陳列装置１０１に対する商品（ドライバー５０）の陳列方法について説明する。フック４をゴンドラバー４０に係合させる。このとき、フレーム２が水平方向に延在するように、商品陳列装置が設置されている。そして、ドライバー５０を、下方向に向けたシャフト５１を商品支持部１０３の筒内に挿入（内部を通過して配置）すると共に、且つ、商品支持部１０３のの上端面にグリップ５２の端面（突出部の側面）を接触させる。このとき、商品支持部１０３の上端部（第１の接触部）を支点とし、下端部（第２の接触部）にドライバー５０の回動が規制されている。これにより、ドライバー５０が商品支持部１０３に支持される。【００２４】  以上説明した第２の実施の形態によると、補助部品を取り付けることなくドライバー５０を陳列することができる。このため、外観を損なわないドライバー５０の陳列が可能になる。また、顧客がドライバー５０の使用感を確認しやすい。さらに、ドライバー５０を商品支持部１０３内に挿入するという簡単な方法でドライバー５０を支持することができる。これのため、ドライバー５０の取り出し及び収納を容易に行うことができる。また、ドライバー５０が傾斜した状態で支持されるため、顧客に対してドライバー５０の外観を効率良く見せることができる。【００２５】  以上、本発明の好適な実施の形態について説明したが、本発明は上述の実施の形態に限られるものではなく、特許請求の範囲に記載した限りにおいて様々な設計変更が可能なものである。上述の実施の形態においては、ドライバー５０が先端部側に傾くように商品支持部３、１０３が構成されているが、図７に示すように、接触部（第２の接触部）１３２と規制部（第２の接触部）１３５でドライバー５０が水平に支持されるように商品支持部１０３が構成されてもよいし、ドライバー５０が後端部側に傾くように商品支持部が構成されてもよい。【００２６】  また、第１の実施の形態においては、凹部３２及び規制部３５が凹となっているが、これらの形状は限定されるものではない。例えば、図８に示すように凹部（第１の接触部）２３２がＶ形状になっていてもよい。【００２７】  また、上述の実施の形態においては、６の商品指示部３、１０３を備える構成であるが、商品支持部３、１０３の数は限定されるものではない。また、配置状態も任意のものでよい。例えば、マトリックス状に配置されていてもよい。【００２８】  さ���に、上述の実施の形態においては、フック４を備え、陳列棚に取り付ける構成であるが、フック４を備えなくてもよい。このとき、自立するような脚部を備えることが好ましい。【００２９】  また、上述の実施の形態においては、ドライバー５０を陳列するための構成となっているが、陳列される商品はドライバー５０に限定されるものではない。
【図面の簡単な説明】
【００３０】
【図１】  本発明に係る第１の実施の形態の商品陳列装置の外観斜視図である。
【図２】  図１に示す商品陳列装置のＡ−Ａ断面図である。
【図３】  図２に示す商品支持部の拡大図である。
【図４】  図３に示す商品支持部の平面図である。
【図５】  図１に示す商品陳列装置の変形例の断面図である。
【図６】  本発明に係る第２の実施の形態の商品陳列装置の断面図である。
【図７】  商品陳列装置の変形例の斜視図である。
【図８】  商品陳列装置の変形例の商品支持部の平面図である。
【符号の説明】
【００３１】  １      商品陳列装置
２      フレーム
３      商品支持部
４      フック
３１      凹部
３２      規制部
４０      ゴンドラバー
５０      ドライバ
【図１】
2006075566.tif 000003
【図２】
2006075566.tif 000004
【図３】
2006075566.tif 000005
【図４】
2006075566.tif 000006
【図５】
2006075566.tif 000007
【図６】
2006075566.tif 000008
【図７】
2006075566.tif 000009
【図８】
2006075566.tif 000010